(57)【要約】【課題】動作設定の設定内容を、変更前の状態に容易に復旧させること。【解決手段】前記電子機器（Ｐｒ１）を動作させるための動作設定の設定内容を記憶する動作設定記憶手段（Ｃ４）と、前記設定内容の変更を実行する入力がされた場合に、変更前の前記設定内容を記憶する変更履歴記憶手段（Ｃ６Ｃ）と、前記動作設定記憶手段（Ｃ４）の動作設定の設定内容を変更前の前記設定内容に復旧させる入力がされたか否かを判別する復旧指示入力判別手段（Ｃ６Ｄ４）と、変更前の前記設定内容に復旧させる入力がされた場合に、前記変更履歴記憶手段（Ｃ６Ｃ）に記憶された前記設定内容を、前記動作設定記憶手段（Ｃ４）の動作設定の設定内容に反映させる前記設定反映手段（Ｃ６Ｅ）とを備えた電子機器。【選択図】図２
2007174334.tif 000002
【特許請求の範囲】
【請求項１】
下記の構成要件（Ａ01）〜（Ａ07）を備えたことを特徴とする電子機器、
（Ａ01）前記電子機器を動作させるための動作設定の設定内容を記憶する動作設定記憶手段、
（Ａ02）前記設定内容を変更するための設定内容変更画像を情報表示画面に表示する設定内容変更画像表示手段、
（Ａ03）前記設定内容変更画像において前記設定内容の変更を実行する入力がされたか否かを判別する変更実行入力判別手段、
（Ａ04）前記設定内容の変更を実行する入力がされた場合に、変更前の前記設定内容を記憶する変更履歴記憶手段、
（Ａ05）前記設定内容の変更を実行する入力がされた場合に、変更された前記設定内容を前記動作設定記憶手段の動作設定の設定内容に反映させる設定反映手段、
（Ａ06）前記動作設定記憶手段の動作設定の設定内容を変更前の前記設定内容に復旧させる入力がされたか否かを判別する復旧指示入力判別手段、
（Ａ07）変更前の前記設定内容に復旧させる入力がされた場合に、前記変更履歴記憶手段に記憶された前記設定内容を、前記動作設定記憶手段の動作設定の設定内容に反映させる前記設定反映手段。
【請求項２】
下記の構成要件（Ａ08），（Ａ09）を備えたことを特徴とする請求項１に記載の電子機器、
（Ａ08）前記設定内容を変更可能な利用者を認証する認証情報を記憶する認証情報記憶手段、
（Ａ09）前記設定内容変更画像を表示する前に、電子機器の利用者が、前記設定内容を変更可能な利用者であるか否かの認証を行う認証手段。
【請求項３】
下記の構成要件（Ａ010）〜（Ａ012）を備えたことを特徴とする請求項１または２に記載の電子機器、
（Ａ010）前記設定内容変更画像を表示する際に、前記動作設定の設定内容を一時記憶する設定内容一時記憶手段、
（Ａ011）前記設定内容一時記憶手段に記憶された前記設定内容を変更する設定内容変更手段、
（Ａ012）前記設定内容の変更を実行する入力がされた場合に、
前記動作設定記憶手段に記憶された変更前の前記設定内容を前記変更履歴記憶手段に反映させた後に、
前記設定内容一時記憶手段に記憶された変更後の前記設定内容を前記動作設定記憶手段に反映させる前記設定反映手段。
【請求項４】
下記の構成要件（Ａ013）を備えたことを特徴とする請求項１ないし３のいずれかに記載の電子機器、
（Ａ013）複数回の前記設定内容の変更が実行された場合に、複数回分の変更前の前記設定内容を記憶する変更履歴記憶手段。
【請求項５】
下記の構成要件（Ａ014），（Ａ015）を備えたことを特徴とする請求項１ないし４のいずれかに記載の電子機器、
（Ａ014）復旧させる変更前の前記設定内容が表示される復旧内容表示画像を前記情報表示画面に表示する復旧内容表示画像表示手段、
（Ａ015）前記復旧内容表示画像において復旧を実行する入力がされたか否かを判別することにより、前記動作設定記憶手段の動作設定の設定内容を変更前の前記設定内容に復旧させる入力がされたか否かを判別する前記復旧指示入力判別手段。
【請求項６】
下記の構成要件（Ａ016）を備えたことを特徴とする請求項１ないし５のいずれかに記載の電子機器、
（Ａ016）前記設定内容の変更を実行する入力がされた場合に、変更された設定内容を管理者に通知する変更内容通知手段。
【請求項７】
下記の構成要件（Ａ017），（Ａ018）を備えたことを特徴とする請求項１ないし６のいずれかに記載の電子機器、
（Ａ017）管理者から送信され、前記動作設定記憶手段の動作設定の設定内容を変更前の前記設定内容に復旧させる指示を通知する復旧指示情報を受信する復旧指示情報受信手段、
（Ａ018）前記復旧指示情報を受信したか否かを判別することにより、前記動作設定記憶手段の動作設定の設定内容を変更前の前記設定内容に復旧させる入力がされたか否かを判別する前記復旧指示入力判別手段。
【請求項８】
下記の構成要件（Ａ019）を備えたことを特徴とする請求項７に記載の電子機器、
（Ａ019）電子メールにより構成された前記復旧指示情報。
【請求項９】
画像形成装置により構成された請求項１ないし８のいずれかに記載の電子機器。
【請求項１０】
コンピュータを、
前記電子機器を動作させるための動作設定の設定内容を記憶する動作設定記憶手段、
前記設定内容を変更するための設定内容変更画像を情報表示画面に表示する設定内容変更画像表示手段、
前記設定内容変更画像において前記設定内容の変更を実行する入力がされたか否かを判別する変更実行入力判別手段、
前記設定内容の変更を実行する入力がされた場合に、変更前の前記設定内容を記憶する変更履歴記憶手段、
前記設定内容の変更を実行する入力がされた場合に、変更された前記設定内容を前記動作設定記憶手段の動作設定の設定内容に反映させる設定反映手段、
前記動作設定記憶手段の動作設定の設定内容を変更前の前記設定内容に復旧させる入力がされたか否かを判別する復旧指示入力判別手段、
変更前の前記設定内容に復旧させる入力がされた場合に、前記変更履歴記憶手段に記憶された前記設定内容を、前記動作設定記憶手段の動作設定の設定内容に反映させる前記設定反映手段、
として機能させるための動作設定変更復旧プログラム。
【発明の詳細な説明】
【技術分野】
【０００１】
本発明は、動作設定に基づいて動作し且つ前記動作設定を変更可能な電子機器および前記動作設定を変更するための動作設定変更復旧プログラムであって、動作設定を変更した場合に以前の動作設定の設定内容に復旧可能な電子機器および動作設定変更復旧プログラムに関する。
前記本発明は、電子機器としてのコンピュータ、プリンタ、ＦＡＸ、複写機等の画像形成装置に好適に適用可能である。
【背景技術】
【０００２】
コンピュータ装置やマイクロコンピュータが組み込まれた画像形成装置等の一般の電子機器では、各種設定値に基づいて一定の動作が行われる。これら設定値の中には、利用者や管理者により設定変更可能にされているものもあり、使用者（ユーザ）の使用環境に応じて設定値を適宜変更して、最適化できる。
しかし、複数の使用者により使用される電子機器では、使用者毎に最適な設定内容が異なることがあり、特定の使用者が使用する場合に、その使用者にとって最適な設定内容に変更して使用したいことがある。また、電子機器の管理者が、管理のために特定の機能を制限することがあるが、特定の使用者が使用する際に、制限された機能を使用したい場合もある。
しかしながら、これらの設定値は、電子機器の動作制御に使用されるため、設定内容によっては、正常に動作しなくなったり意図しない動作をするようになることがある。したがって、設定内容を各利用者がむやみに変更して、正常に動作しなくなったりすることを防止する必要がある。
【０００３】
このような問題に対応できる技術として、下記の従来技術（Ｊ01），（Ｊ02）が公知である。
（Ｊ01）特許文献１（特開２００４−１９２６２５号公報）記載の技術
特許文献１には、電子機器としての画像形成装置の設定内容を変更する際に、監視期間を設定して、監視期間中に変更を行おうとした場合には、警告を表示して変更を制限し、監視期間終了後には、設定に応じて、変更前の設定内容に戻す、または、変更後の設定内容のまま動作させる技術が記載されている。
（Ｊ02）特許文献２（特開２００４−３２６６５８号公報）記載の技術
特許文献２には、電子機器としての画像形成装置の印刷設定項目において、変更された項目を反転表示してユーザが確認しやすく表示することにより、変更前の設定内容に戻しやすくする技術が記載されている。
【０００４】
【特許文献１】特開２００４−１９２６２５号公報（「００５４」〜「００５７」、「００８５」〜「０１１１」、図３〜図６、図１０、図１１）
【特許文献２】特開２００４−３２６６５８号公報（「０００６」〜「００１０」、「００１７」、図４〜図６）
【発明の開示】
【発明が解決しようとする課題】
【０００５】
（従来技術の問題点）
前記従来技術（Ｊ01）では、監視期間内では変更が制限されるが、監視期間終了後は自由に変更できるという問題がある。したがって、悪意のある第三者が設定を変更（改竄）して、業務妨害や情報漏洩等を図ることが可能であるという問題がある。また、監視期間終了後に設定内容を戻さない場合には、例えば、設定内容が適切ではなく、監視期間中には少しずつ悪化しながらも動作し、監視期間終了後に正常に動作しなくなった場合には、変更前の設定内容がわからず、変更前の設定内容に戻す（復旧させる）ことが容易ではないという問題がある。
前記従来技術（Ｊ02）では、印刷設定項目を変更する画面上では、変更された項目がわかりやすく表示されるが、変更を確定させた後では、変更前の設定内容に対する変更項目がわからず、元の設定内容に戻すことができなかった。したがって、変更後に正常に動作しなくなった場合に、変更前の設定内容に戻すことができないという問題がある。
【０００６】
本発明は、前述の事情に鑑み、次の記載内容（Ｏ01）を技術的課題とする。
（Ｏ01）動作設定の設定内容を、変更前の状態に容易に復旧させること。
【課題を解決するための手段】
【０００７】
（本発明）
次に、前記課題を解決した本発明を説明するが、本発明の要素には、後述の実施の形態の具体例（実施例）の要素との対応を容易にするため、実施例の要素の符号をカッコで囲んだものを付記する。また、本発明を後述の実施例の符号と対応させて説明する理由は、本発明の理解を容易にするためであり、本発明の範囲を実施例に限定するためではない。
【０００８】
（第１発明）
前記技術的課題を解決するために、第１発明の電子機器は、下記の構成要件（Ａ01）〜（Ａ07）を備えたことを特徴とする。
（Ａ01）前記電子機器（Ｐｒ１）を動作させるための動作設定の設定内容を記憶する動作設定記憶手段（Ｃ４）、
（Ａ02）前記設定内容を変更するための設定内容変更画像（５１）を情報表示画面（ＵＩ１）に表示する設定内容変更画像表示手段（Ｃ６Ｂ１）、
（Ａ03）前記設定内容変更画像（５１）において前記設定内容の変更を実行する入力がされたか否かを判別する変更実行入力判別手段（Ｃ６Ｂ５）、
（Ａ04）前記設定内容の変更を実行する入力がされた場合に、変更前の前記設定内容を記憶する変更履歴記憶手段（Ｃ６Ｃ）、
（Ａ05）前記設定内容の変更を実行する入力がされた場合に、変更された前記設定内容を前記動作設定記憶手段（Ｃ４）の動作設定の設定内容に反映させる設定反映手段（Ｃ６Ｅ）、
（Ａ06）前記動作設定記憶手段（Ｃ４）の動作設定の設定内容を変更前の前記設定内容に復旧させる入力がされたか否かを判別する復旧指示入力判別手段（Ｃ６Ｄ４）、
（Ａ07）変更前の前記設定内容に復旧させる入力がされた場合に、前記変更履歴記憶手段（Ｃ６Ｃ）に記憶された前記設定内容を、前記動作設定記憶手段（Ｃ４）の動作設定の設定内容に反映させる前記設定反映手段（Ｃ６Ｅ）。
【０００９】
（第１発明の作用）
前記構成要件（Ａ01）〜（Ａ07）を備えた第１発明の電子機器（Ｐｒ１）では、動作設定記憶手段（Ｃ４）は、前記電子機器（Ｐｒ１）を動作させるための動作設定の設定内容を記憶する。設定内容変更画像表示手段（Ｃ６Ｂ１）は、前記設定内容を変更するための設定内容変更画像（５１）を情報表示画面（ＵＩ１）に表示する。変更実行入力判別手段（Ｃ６Ｂ５）は、前記設定内容変更画像（５１）において前記設定内容の変更を実行する入力がされたか否かを判別する。変更履歴記憶手段（Ｃ６Ｃ）は、前記設定内容の変更を実行する入力がされた場合に、変更前の前記設定内容を記憶する。設定反映手段（Ｃ６Ｅ）は、前記設定内容の変更を実行する入力がされた場合に、変更された前記設定内容を前記動作設定記憶手段（Ｃ４）の動作設定の設定内容に反映させる。復旧指示入力判別手段（Ｃ６Ｄ４）は、前記動作設定記憶手段（Ｃ４）の動作設定の設定内容を変更前の前記設定内容に復旧させる入力がされたか否かを判別する。前記設定反映手段（Ｃ６Ｅ）は、変更前の前記設定内容に復旧させる入力がされた場合に、前記変更履歴記憶手段（Ｃ６Ｃ）に記憶された前記設定内容を、前記動作設定記憶手段（Ｃ４）の動作設定の設定内容に反映させる。
【００１０】
したがって、第１発明の電子機器（Ｐｒ１）では、前記設定内容の変更を実行する入力がされた場合に、変更前の前記設定内容が変更履歴記憶手段（Ｃ６Ｃ）に記憶され、変更前の前記設定内容に復旧させる入力がされると、前記変更履歴記憶手段（Ｃ６Ｃ）に記憶された前記設定内容を、前記動作設定記憶手段（Ｃ４）の動作設定の設定内容に反映されて、設定内容が復旧される。したがって、第１発明の電子機器（Ｐｒ１）では、変更前の前記設定内容に復旧させる入力を行うだけで、動作設定の設定内容を、変更前の状態に復旧させることができるので、容易に復旧することができる。この結果、変更により正常に動作しなくなった場合に、正常に動作していた頃の設定内容に容易に復旧させて、電子機器（Ｐｒ１）を正常に動作させることができる。
【００１１】
（第２発明）
前記技術的課題を解決するために、第２発明の動作設定変更復旧プログラム（Ｐ）は、
コンピュータ（Ｐｒ１）を、
前記コンピュータ（Ｐｒ１）を動作させるための動作設定の設定内容を記憶する動作設定記憶手段（Ｃ４）、
前記設定内容を変更するための設定内容変更画像（５１）を情報表示画面（ＵＩ１）に表示する設定内容変更画像表示手段（Ｃ６Ｂ１）、
前記設定内容変更画像（５１）において前記設定内容の変更を実行する入力がされたか否かを判別する変更実行入力判別手段（Ｃ６Ｂ５）、
前記設定内容の変更を実行する入力がされた場合に、変更前の前記設定内容を記憶する変更履歴記憶手段（Ｃ６Ｃ）、
前記設定内容の変更を実行する入力がされた場合に、変更された前記設定内容を前記動作設定記憶手段（Ｃ４）の動作設定の設定内容に反映させる設定反映手段（Ｃ６Ｅ）、
前記動作設定記憶手段（Ｃ４）の動作設定の設定内容を変更前の前記設定内容に復旧させる入力がされたか否かを判別する復旧指示入力判別手段（Ｃ６Ｄ４）、
変更前の前記設定内容に復旧させる入力がされた場合に、前記変更履歴記憶手段（Ｃ６Ｃ）に記憶された前記設定内容を、前記動作設定記憶手段（Ｃ４）の動作設定の設定内容に反映させる前記設定反映手段（Ｃ６Ｅ）、
として機能させることを特徴とする。
【００１２】
（第２発明の作用）
前記構成要件を備えた第２発明の動作設定変更復旧プログラム（Ｐ）により、動作設定記憶手段（Ｃ４）は、前記コンピュータ（Ｐｒ１）を動作させるための動作設定の設定内容を記憶する。設定内容変更画像表示手段（Ｃ６Ｂ１）は、前記設定内容を変更するための設定内容変更画像（５１）を情報表示画面（ＵＩ１）に表示する。変更実行入力判別手段（Ｃ６Ｂ５）は、前記設定内容変更画像（５１）において前記設定内容の変更を実行する入力がされたか否かを判別する。変更履歴記憶手段（Ｃ６Ｃ）は、前記設定内容の変更を実行する入力がされた場合に、変更前の前記設定内容を記憶する。設定反映手段（Ｃ６Ｅ）は、前記設定内容の変更を実行する入力がされた場合に、変更された前記設定内容を前記動作設定記憶手段（Ｃ４）の動作設定の設定内容に反映させる。復旧指示入力判別手段（Ｃ６Ｄ４）は、前記動作設定記憶手段（Ｃ４）の動作設定の設定内容を変更前の前記設定内容に復旧させる入力がされたか否かを判別する。前記設定反映手段（Ｃ６Ｅ）は、変更前の前記設定内容に復旧させる入力がされた場合に、前記変更履歴記憶手段（Ｃ６Ｃ）に記憶された前記設定内容を、前記動作設定記憶手段（Ｃ４）の動作設定の設定内容に反映させる。
【００１３】
したがって、第２発明の動作設定変更復旧プログラム（Ｐ）では、前記設定内容の変更を実行する入力がされた場合に、変更前の前記設定内容が変更履歴記憶手段（Ｃ６Ｃ）に記憶され、変更前の前記設定内容に復旧させる入力がされると、前記変更履歴記憶手段（Ｃ６Ｃ）に記憶された前記設定内容を、前記動作設定記憶手段（Ｃ４）の動作設定の設定内容に反映されて、設定内容が復旧される。したがって、第２発明の動作設定変更復旧プログラム（Ｐ）により、変更前の前記設定内容に復旧させる入力を行うだけで、動作設定の設定内容を、変更前の状態に復旧させることができるので、容易に復旧することができる。この結果、変更により正常に動作しなくなった場合に、正常に動作していた頃の設定内容に容易に復旧させて、電子機器（Ｐｒ１）を正常に動作させることができる。
【００１４】
（発明の形態１）
発明の形態１は、前記第１発明または第２発明において、下記の構成要件（Ａ08），（Ａ09）を備えたことを特徴とする。
（Ａ08）前記設定内容を変更可能な利用者を認証する認証情報を記憶する認証情報記憶手段（Ｃ６Ａ４）、
（Ａ09）前記設定内容変更画像（５１）を表示する前に、電子機器（Ｐｒ１）の利用者が、前記設定内容を変更可能な利用者であるか否かの認証を行う認証手段（Ｃ６Ａ）。
【００１５】
（発明の形態１の作用）
前記構成要件（Ａ08），（Ａ09）を備えた発明の形態１では、認証情報記憶手段（Ｃ６Ａ４）は、前記設定内容を変更可能な利用者を認証する認証情報を記憶する。認証手段（Ｃ６Ａ）は、前記設定内容変更画像（５１）を表示する前に、電子機器（コンピュータ、Ｐｒ１）の利用者が、前記設定内容を変更可能な利用者であるか否かの認証を行う。したがって、発明の形態１では、設定内容の変更を行う前に認証が行われるので、認証された利用者しか変更ができず、権限のない利用者や第三者による設定内容の変更を防止できる。この結果、セキュリティを高めることができ、悪意のある第三者による設定内容の改竄を防止できる。
【００１６】
（発明の形態２）
発明の形態２は、前記第１発明、第２発明および発明の形態１のいずれかにおいて、下記の構成要件（Ａ010）〜（Ａ012）を備えたことを特徴とする。
（Ａ010）前記設定内容変更画像（５１）を表示する際に、前記動作設定の設定内容を一時記憶する設定内容一時記憶手段（Ｃ６Ｂ３）、
（Ａ011）前記設定内容一時記憶手段（Ｃ６Ｂ３）に記憶された前記設定内容を変更する設定内容変更手段（Ｃ６Ｂ４）、
（Ａ012）前記設定内容の変更を実行する入力がされた場合に、
前記動作設定記憶手段（Ｃ４）に記憶された変更前の前記設定内容を前記変更履歴記憶手段（Ｃ６Ｃ）に反映させた後に、
前記設定内容一時記憶手段（Ｃ６Ｂ３）に記憶された変更後の前記設定内容を前記動作設定記憶手段（Ｃ４）に反映させる前記設定反映手段（Ｃ６Ｅ）。
【００１７】
（発明の形態２の作用）
前記構成要件（Ａ010）〜（Ａ012）を備えた発明の形態２では、設定内容一時記憶手段（Ｃ６Ｂ３）は、前記設定内容変更画像（５１）を表示する際に、前記動作設定の設定内容を一時記憶する。設定内容変更手段（Ｃ６Ｂ４）は、前記設定内容一時記憶手段（Ｃ６Ｂ３）に記憶された前記設定内容を変更する。前記設定反映手段（Ｃ６Ｅ）は、前記設定内容の変更を実行する入力がされた場合に、前記動作設定記憶手段（Ｃ４）に記憶された変更前の前記設定内容を前記変更履歴記憶手段（Ｃ６Ｃ）に反映させた後に、前記設定内容一時記憶手段（Ｃ６Ｂ３）に記憶された変更後の前記設定内容を前記動作設定記憶手段（Ｃ４）に反映させる。したがって、設定内容の変更を実行する入力がされた場合に、変更履歴記憶手段（Ｃ６Ｃ）に変更前の設定内容を記憶でき且つ動作設定記憶手段（Ｃ４）に変更後の設定内容を記憶させることができる。
【００１８】
（発明の形態３）
発明の形態３は、前記第１発明、第２発明および発明の形態１、２のいずれかにおいて、下記の構成要件（Ａ013）を備えたことを特徴とする。
（Ａ013）複数回の前記設定内容の変更が実行された場合に、複数回分の変更前の前記設定内容を記憶する変更履歴記憶手段（Ｃ６Ｃ）。
（発明の形態３の作用）
前記構成要件（Ａ013）を備えた発明の形態３では、変更履歴記憶手段（Ｃ６Ｃ）は、複数回の前記設定内容の変更が実行された場合に、複数回分の変更前の前記設定内容を記憶する。したがって、設定内容を復旧する際に、複数回分の設定内容の中から選択することができる。
【００１９】
（発明の形態４）
発明の形態４は、前記第１発明、第２発明および発明の形態１〜３のいずれかにおいて、下記の構成要件（Ａ014），（Ａ015）を備えたことを特徴とする。
（Ａ014）復旧させる変更前の前記設定内容が表示される復旧内容表示画像（９１）を前記情報表示画面（ＵＩ１）に表示する復旧内容表示画像表示手段（Ｃ６Ｄ３）、
（Ａ015）前記復旧内容表示画像（９１）において復旧を実行する入力がされたか否かを判別することにより、前記動作設定記憶手段（Ｃ４）の動作設定の設定内容を変更前の前記設定内容に復旧させる入力がされたか否かを判別する前記復旧指示入力判別手段（Ｃ６Ｄ４）。
【００２０】
（発明の形態４の作用）
前記構成要件（Ａ014），（Ａ015）を備えた発明の形態４では、復旧内容表示画像表示手段（Ｃ６Ｄ３）は、復旧させる変更前の前記設定内容が表示される復旧内容表示画像（９１）を前記情報表示画面（ＵＩ１）に表示する。前記復旧指示入力判別手段（Ｃ６Ｄ４）は、前記復旧内容表示画像（９１）において復旧を実行する入力がされたか否かを判別することにより、前記動作設定記憶手段（Ｃ４）の動作設定の設定内容を変更前の前記設定内容に復旧させる入力がされたか否かを判別する。したがって、復旧内容表示画像（９１）を確認しながら復旧できる。
【００２１】
（発明の形態５）
発明の形態５は、前記第１発明、第２発明および発明の形態１〜４のいずれかにおいて、下記の構成要件（Ａ016）を備えたことを特徴とする。
（Ａ016）前記設定内容の変更を実行する入力がされた場合に、変更された設定内容を管理者に通知する変更内容通知手段（Ｃ６Ｆ）。
（発明の形態５の作用）
前記構成要件（Ａ016）を備えた発明の形態５では、変更内容通知手段（Ｃ６Ｆ）は、前記設定内容の変更を実行する入力がされた場合に、変更された設定内容を管理者に通知する。したがって、管理者が変更された設定内容および設定内容の変更があったことを管理することができる。
【００２２】
（発明の形態６）
発明の形態６は、前記第１発明、第２発明および発明の形態１〜５のいずれかにおいて、下記の構成要件（Ａ017），（Ａ018）を備えたことを特徴とする。
（Ａ017）管理者から送信され、前記動作設定記憶手段（Ｃ４）の動作設定の設定内容を変更前の前記設定内容に復旧させる指示を通知する復旧指示情報を受信する復旧指示情報受信手段（Ｃ６Ｇ）、
（Ａ018）前記復旧指示情報を受信したか否かを判別することにより、前記動作設定記憶手段（Ｃ４）の動作設定の設定内容を変更前の前記設定内容に復旧させる入力がされたか否かを判別する前記復旧指示入力判別手段（Ｃ６Ｄ４）。
【００２３】
（発明の形態６の作用）
前記構成要件（Ａ017），（Ａ018）を備えた発明の形態６では、復旧指示情報受信手段（Ｃ６Ｇ）は、管理者から送信され、前記動作設定記憶手段（Ｃ４）の動作設定の設定内容を変更前の前記設定内容に復旧させる指示を通知する復旧指示情報を受信する。前記復旧指示入力判別手段（Ｃ６Ｄ４）は、前記復旧指示情報を受信したか否かを判別することにより、前記動作設定記憶手段（Ｃ４）の動作設定の設定内容を変更前の前記設定内容に復旧させる入力がされたか否かを判別する。したがって、管理者が復旧指示情報を送信することで設定内容を復旧できるので、電子機器（Ｐｒ１）が設置されている場所まで出向かなくても復旧でき、利便性が向上する。
【００２４】
（発明の形態７）
発明の形態７は、前記発明の形態６において、下記の構成要件（Ａ019）を備えたことを特徴とする。
（Ａ019）電子メールにより構成された前記復旧指示情報。
（発明の形態７の作用）
前記構成要件（Ａ019）を備えた発明の形態７では、前記復旧指示情報は電子メールにより構成されているので、電子メールを利用して設定内容を復旧させることができる。
【００２５】
（発明の形態８）
発明の形態８は、前記第１発明、第２発明および発明の形態１〜７のいずれかにおいて、前記電子機器（Ｐｒ１）が画像形成装置（Ｐｒ１）により構成されたことを特徴とする。
（発明の形態８の作用）
前記構成要件を備えた発明の形態８では、電子機器（Ｐｒ１）としての画像形成装置（Ｐｒ１）の設定内容を容易に復旧できる。
【発明の効果】
【００２６】
前述の本発明は、下記の効果（Ｅ01）を奏する。
（Ｅ01）動作設定の設定内容を、変更前の状態に容易に復旧させることができる。
【発明を実施するための最良の形態】
【００２７】
次に図面を参照しながら、本発明の実施の形態の具体例（実施例）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
【実施例１】
【００２８】
図１は本発明の実施例１のプリントシステムの全体説明図である。
図１において、本発明の実施例１のプリントシステムＳは、インターネット回線（公衆通信回線）１やローカルエリアネットワーク（ＬＡＮ）２を含むネットワークＮを有する。前記ローカルエリアネットワーク２は、ルーターＲを介してインターネット回線１に接続されている。実施例１では、前記ローカルエリアネットワーク２は、第１事業部門用の第１サブネットワーク３と、第２事業部門用の第２サブネットワーク４とを有し、第１サブネットワーク３と第２サブネットワーク４はルーターＲを介して接続されている。
前記各サブネットワーク３，４には、それぞれ、複数のクライアントパソコンＰＣ（電子機器）やネットワーク接続型の複合機（コピー、ＦＡＸ、プリンタ、スキャナ機能を有する画像形成装置、電子機器）Ｐｒ１〜Ｐｒ４、ネットワーク管理者の管理者サーバＳｂｂｂ（電子機器）、その他、図示しないワークステーションやデータベースサーバ等が接続されている。また、インターネット回線１を介して複合機Ｐｒ５が接続されている。
【００２９】
前記各クライアントパソコンＰＣや管理者サーバＳｂは、コンピュータ装置により構成されており、それぞれ、コンピュータ本体Ｈ１と、ディスプレイ（情報表示画面）Ｈ２と、キーボードＨ３やマウスＨ４等の入力装置、図示しないＨＤドライブ（ハードディスクドライブ）、ＣＤドライブ（コンパクトディスクドライブ）等により構成されている。
前記複合機Ｐｒ１〜Ｐｒ５は、ユーザインタフェースＵＩと、印刷用紙を給紙するための複数の給紙トレイＴＲと、排紙トレイＴＲｈとを有している。なお、前記複合機Ｐｒ１〜Ｐｒ５は、コピー、プリンタ、ＦＡＸ、ネットワークスキャナの全ての機能を備えた電子写真方式の複合機である。
【００３０】
（実施例１の制御部の説明）
次に実施例１の制御部の説明を行うが、ユーザの入力に応じて印刷用の画像情報を複合機Ｐｒ１〜Ｐｒ５に送信するクライアントパソコンＰＣや管理者サーバＳｂの制御部の説明は、従来公知であるので省略する。
（画像形成装置の制御部の説明）
図２は、実施例１の画像形成装置としての複合機の制御部分が備えている各機能をブロック図（機能ブロック図）で示した図である。
図２において、実施例１の複合機Ｐｒ１のコントローラＣは、外部との信号の入出力および入出力信号レベルの調節等を行うＩ／Ｏ（入出力インターフェース）、必要な処理を行うためのプログラムおよびデータ等が記憶されたＲＯＭ（リードオンリーメモリ）やハードディスク、必要なデータを一時的に記憶するためのＲＡＭ（ランダムアクセスメモリ）、前記ＲＯＭ等に記憶されたプログラムに応じた処理を行うＣＰＵ（中央演算処理装置）、ならびにクロック発振器等を有するマイクロコンピュータにより構成されており、前記ＲＯＭ等に記憶されたプログラムを実行することにより種々の機能を実現することができる。
なお、各複合機Ｐｒ１〜Ｐｒ５のコントローラＣは、同様に構成されているので、以下の説明では、複合機Ｐｒ１について説明し、その他の複合機Ｐｒ２〜Ｐｒ５についての詳細な説明は省略する。
【００３１】
（前記コントローラＣに接続された信号入力要素）
前記コントローラＣは、ＵＩ（ユーザインタフェース）や図示しない各種センサ等の信号入力要素からの信号が入力されている。
前記ＵＩは、表示器ＵＩ１や、コピースタートキーＵＩ２、テンキーＵＩ３等の入力キーを備えており、それらが入力されたことを検出して、その検出信号をコントローラＣに入力する。
【００３２】
（前記コントローラＣに接続された制御要素）
前記コントローラＣは、画像情報に応じて画像を形成し、原稿画像を読取る画像読取り部材（スキャナ部）ＰｒＡや、給紙トレイＴＲから給紙された用紙に画像を記録して排出トレイＴＲｈに排出する画像記録部材（プリンタ部）ＰｒＢ、その他の制御要素に接続されており、それらの作動制御信号を出力している。
【００３３】
（前記コントローラＣの機能）
前記コントローラＣは、前記各信号出力要素からの出力信号やネットワークＮを介して受信した情報、信号に応じた処理を実行して、前記各制御要素に制御信号を出力する機能（制御手段）を有している。前記コントローラＣの機能（制御手段）を次に説明する。
【００３４】
図３は実施例１の機能選択画像の説明図である。
Ｃ１：機能選択画像表示手段
機能選択画像表示手段Ｃ１は、複合機Ｐｒ１の各機能を選択するための機能選択画像１１（メニュー画像、図３参照）を表示部ＵＩ１に表示する。図３において、実施例１の機能選択画像１１は、各機能を選択するための機能選択アイコン１２（図３の「コピー」アイコン１２ａ、「ＦＡＸ」アイコン１２ｂ、「スキャナ」アイコン１２ｃ参照）と、複合機Ｐｒ１の各種設定や仕様を登録、変更するための仕様変更開始画像１３（図４の「仕様変更」アイコン参照）とを有する。なお、実施例１の表示部ＵＩ１は、ユーザが指先で画像部分を触れることで入力が可能な接触入力型（いわゆる、タッチパネル）の表示部ＵＩ１により構成されている。
【００３５】
Ｃ２：画像情報受信手段
画像情報受信手段Ｃ２は、ネットワークＮを介してクライアントパソコンＰＣ等から送信された印刷画像情報や、ＦＡＸ画像情報等の画像情報を受信する。
Ｃ３：画像情報記憶手段
画像情報記憶手段Ｃ３は、受信した画像情報や、コピー動作時やスキャナ動作時、ＦＡＸ送信動作時の読取り画像情報等の作業（ジョブ、すなわち、プリント動作やスキャナ動作、ＦＡＸ動作、コピー動作等）を実行するための情報（データ）を記憶する。
Ｃ４：動作設定記憶手段
動作設定記憶手段Ｃ４は、複合機Ｐｒ１を動作させるための動作設定の設定内容を記憶する。実施例１の動作設定記憶手段Ｃ４は、動作設定の設定項目として、コピー動作時の標準給紙トレイＴＲや標準画像倍率、原稿の種類（文字、写真等）、読取り画像サイズと給紙トレイの用紙サイズとが異なる場合に読取画像サイズを回転等して調整するか否か（自動ローテンション）、その他、例えば、ＦＡＸ動作時の自局情報（ＦＡＸ番号）や標準読取り解像度、スキャナ動作時の標準原稿種類や標準読取り解像度、プリント動作時のネットワーク情報や標準給紙トレイＴＲ等の動作設定を設定可能に構成されている。
【００３６】
Ｃ５：画像形成手段
画像形成手段Ｃ５は、前記動作設定記憶手段Ｃ４に記憶された動作設定の設定内容に基づいて、実行するジョブ（コピー動作、プリント動作等）に応じて、前記画像読取り部材ＰｒＡや画像記録部材ＰｒＢの動作を制御して、ジョブを実行する。
Ｐ：動作設定変更復旧プログラム
動作設定変更復旧プログラムＰは、認証手段Ｃ６Ａと、設定変更手段Ｃ６Ｂと、変更履歴記憶手段Ｃ６Ｃと、設定復旧手段Ｃ６Ｄと、設定反映手段Ｃ６Ｅとを有し、複合機Ｐｒ１の動作設定の設定内容の変更や復旧を行う。
Ｃ６Ａ：認証手段
認証手段Ｃ６Ａは、認証画像表示手段Ｃ６Ａ１と、認証不可告知画像表示手段Ｃ６Ａ２と、キーボード用画像表示手段Ｃ６Ａ３と、認証情報記憶手段Ｃ６Ａ４とを有し、動作設定の設定内容の変更や復旧を行おうとしているユーザ（利用者または管理者）が、設定内容を変更可能なユーザであるか否かの認証を行う。
【００３７】
図４は実施例１の認証画像の説明図である。
Ｃ６Ａ１：認証画像表示手段
認証画像表示手段Ｃ６Ａ１は、動作設定の設定内容の変更等を行おうとしているユーザの認証情報を入力するための認証画像２１（図４参照）を表示部（情報表示画面）ＵＩ１に表示する。図４において、実施例１の認証画像２１は、認証情報としてのユーザＩＤを入力するためユーザＩＤ入力欄２２と、認証情報としてのパスワードを入力するためのパスワード入力欄２３と、ユーザＩＤやパスワードを入力するためのキーボード画像を表示するためのキーボード入力開始画像２４（図４の「キーボード」のアイコン参照）と、認証情報（ユーザＩＤおよびパスワード）の入力を終了して認証（ログイン）するための認証実行画像２６（図４の「ログイン」アイコン参照）と、認証を取りやめる認証取り消し画像２７（図４の「取り消し」アイコン参照）とを有する。
【００３８】
図５は実施例１の認証不可告知画像の説明図である。
Ｃ６Ａ２：認証不可告知画像表示手段
認証不可告知画像表示手段Ｃ６Ａ２は、ユーザＩＤやパスワードが一致せず、認証（ログイン）ができなかった場合に、そのことをユーザに告知する認証不可告知画像３１（図５参照）を表示部ＵＩ１に表示する。図５において、実施例１の認証不可告知画像３１は、認証ができなかったことをユーザが確認する確認画像３２（図５の「ＯＫ」アイコン参照）を有する。
【００３９】
図６は実施例１のキーボード画像の説明図であり、図３のユーザＩＤを入力する場合のキーボード画像の説明図である。
Ｃ６Ａ３：キーボード用画像表示手段
キーボード用画像表示手段Ｃ６Ａ３は、前記認証画像２１において、キーボード入力開始画像２４の入力がされた場合に、ユーザＩＤまたはパスワードの入力を行うためのキーボード画像４１（図６参照）を表示部ＵＩ１に表示する。図６において、実施例１のキーボード画像４１は、入力項目を表示する入力項目表示欄４２（図４ではユーザＩＤ表示欄）と、画像部分を指で触れて入力を行うキーボード入力部４３と、入力項目表示欄４２に入力された内容を認証画像２１の該当する入力欄２２，２３に反映するための入力決定画像４４（図６の「決定」アイコン参照）と、入力項目表示欄４２に表示された内容を破棄して前記認証画像２１に戻る入力取り消し画像４６（図６の「取り消し」アイコン参照）とを有する。
【００４０】
Ｃ６Ａ４：認証情報記憶手段
認証情報記憶手段Ｃ６Ａ４は、前記認証手段Ｃ６が認証を行う際に参照する、設定内容を変更可能な利用者の認証情報（ユーザＩＤおよびパスワード）を記憶する。前記認証情報は、図示しない従来公知の認証情報登録手段（プログラム）によって、管理者により予め登録（記憶）されている。
Ｃ６Ｂ：設定変更手段
設定変更手段Ｃ６Ｂと、設定内容一覧画像表示手段Ｃ６Ｂ１と、設定内容変更画像表示手段Ｃ６Ｂ２と、設定内容一時記憶手段Ｃ６Ｂ３と、設定内容変更手段Ｃ６Ｂ４と、変更実行入力判別手段Ｃ６Ｂ５と、を有し、動作設定の設定内容の変更を行う。
【００４１】
図７は実施例１の設定内容変更画像の説明図である。
Ｃ６Ｂ１：設定内容変更画像表示手段
設定内容変更画像表示手段Ｃ６Ｂ１は、設定内容を変更するための設定内容変更画像５１（図７参照）を表示部ＵＩ１に表示する。図７において、実施例１の設定内容変更画像５１は、設定内容を変更可能な項目および変更の前後の設定内容を一覧表示するための設定内容一覧画像５１により構成されており、設定項目を一覧表示する設定項目表示欄５２と、変更前（すなわち、現在）の設定内容を表示する変更前設定内容表示欄５３と、変更後の設定内容を表示する変更後設定内容表示欄５４と、設定内容の復旧の選択等を行う設定復旧移行画像５６（図７の「設定の復旧」アイコン参照）と、設定内容の変更を実行する変更実行入力画像５７（図７の「決定」アイコン参照）と、設定内容の変更を取り消す設定変更取り消し画像５８（図７の「取り消し」アイコン参照）とを有する。
【００４２】
図８は実施例１の設定項目詳細表示画像の一例の説明図であり、コピーデフォルトトレイの設定項目詳細表示画像の説明図である。
Ｃ６Ｂ２：設定項目詳細表示画像表示手段
設定項目詳細表示画像表示手段Ｃ６Ｂ２は、設定内容変更画像５１で選択された設定項目の詳細な内容を表示し、設定内容の選択、変更をするための設定項目詳細表示画像６１（図８参照）を表示部ＵＩ１に表示する。図８において、実施例１の設定項目詳細表示画像６１は、設定内容を選択して変更するための複数の変更入力画像６２（図８の「トレイ１」アイコン等参照）と、設定内容の選択を決定する選択決定画像６３（図８の「決定」アイコン参照）と、設定内容の選択を取り消す選択取り消し画像６４（図８の「取り消し」アイコン参照）とを有する。なお、図８に示すように、実施例１では、変更入力画像６２では、選択されている選択項目が強調表示される（図８の「自動」の変更入力画像６２参照）。
【００４３】
Ｃ６Ｂ３：設定内容一時記憶手段
設定内容一時記憶手段Ｃ６Ｂ３は、設定内容の変更を行う際に、変更前の動作設定の設定内容を一時記憶する。
Ｃ６Ｂ４：設定内容変更手段
設定内容変更手段Ｃ６Ｂ４は、前記設定内容変更画像６１で選択されて変更された設定内容に応じて、設定内容一時記憶手段Ｃ６Ｂ３に一時記憶された設定内容を変更された設定内容に更新する。したがって、前記設定内容一覧画像５１において、変更前設定内容表示欄５３には動作設定記憶手段Ｃ４に記憶された設定内容が表示され、変更後設定内容表示欄５４には設定内容一時記憶手段Ｃ６Ｂ３に一時記憶された設定内容が表示される。
Ｃ６Ｂ５：変更実行入力判別手段
変更実行入力判別手段Ｃ６Ｂ５は、設定内容変更画像５１において前記設定内容の変更を実行する入力がされたか否かを判別する。実施例１の変更実行入力判別手段Ｃ６Ｂ５は、前記変更実効入力画像５７の入力がされたか否かを判別することにより、設定内容の変更を実行する入力がされたか否かを判別する。
【００４４】
Ｃ６Ｃ：変更履歴記憶手段
変更履歴記憶手段Ｃ６Ｃは、設定変更手段Ｃ６Ｂで設定内容の変更が行われた場合に、変更前の設定内容を記憶する。実施例１の変更履歴記憶手段Ｃ６Ｃは、変更が行われる度に、変更が行われた時刻と、変更を行った時に認証がされたユーザ名と、変更前の全ての設定項目の設定内容（すなわち、更新前の動作設定記憶手段Ｃ４に記憶された設定内容）と、を含む変更履歴情報を記憶する。また、実施例１の変更履歴記憶手段Ｃ６Ｃは、過去５回分（複数回分）の変更履歴情報を記憶する。
Ｃ６Ｄ：設定復旧手段
設定復旧手段Ｃ６Ｄは、設定変更履歴一覧画像表示手段Ｃ６Ｄ１と、変更履歴詳細内容画像表示手段Ｃ６Ｄ２と、復旧内容表示画像表示手段Ｃ６Ｄ３と、復旧指示入力判別手段Ｃ６Ｄ４とを有し、変更された設定内容を変更前の設定内容に戻す（復旧させる）。
【００４５】
図９は実施例１の設定変更履歴一覧画像の説明図である。
Ｃ６Ｄ１：設定変更履歴一覧画像表示手段
設定変更履歴一覧画像表示手段Ｃ６Ｄ１は、前記変更履歴記憶手段Ｃ６Ｃに記憶された変更履歴情報に基づいて、設定内容が変更された履歴を一覧表示する設定変更履歴一覧画像７１（図９参照）を表示部ＵＩ１に表示する。図９において、実施例１の設定変更履歴一覧画像７１は、変更履歴情報の変更時刻を一覧表示する変更時刻一覧表示欄７２と、復旧させる変更履歴情報（設定内容）を選択するラジオボタン画像７３と、各変更履歴情報の詳細な内容を表示させる詳細表示開始画像７４（図９の「詳細」アイコン参照）と、選択された設定内容に復旧させる際の確認を行うための確認開始画像７５（図９の「ＯＫ」アイコン参照）と、設定の復旧を取り消す復旧取り消し画像７６（図９の「キャンセル」アイコン参照）とを有する。
【００４６】
図１０は実施例１の変更履歴詳細内容画像の説明図である。
Ｃ６Ｄ２：変更履歴詳細内容画像表示手段
変更履歴詳細内容画像表示手段Ｃ６Ｄ２は、前記詳細表示開始画像７４の入力がされた場合に、入力された詳細表示開始画像７４に対応する変更履歴情報の詳細な内容を表示する変更履歴詳細内容画像８１（図１０参照）を表示器ＵＩ１に表示する。実施例１の変更履歴詳細内容画像８１は、変更時刻および変更ユーザを表示する変更時刻および変更ユーザ表示欄８２と、設定項目を一覧表示する設定項目表示欄８３と、現在の設定内容を表示する現在設定内容表示欄８４と、詳細表示する選択がされた変更履歴情報の設定内容を表示する履歴設定内容表示欄８６と、詳細な内容の確認を終了する確認終了画像８７（図１０の「閉じる」アイコン参照）とを有する。
【００４７】
図１１は実施例１の復旧内容表示画像の説明図である。
Ｃ６Ｄ３：復旧内容表示画像表示手段
復旧内容表示画像表示手段Ｃ６Ｄ３は、前記設定変更履歴一覧画像７１の確認開始画像７５の入力がされた場合に、ラジオボタン画像７３で選択された変更履歴情報の設定内容の確認をするための復旧内容表示画像９１（図１１参照）を表示部ＵＩ１に表示する。実施例１の復旧内容表示画像９１は、設定項目を一覧表示する設定項目表示欄９２と、復旧後の設定内容を表示する復旧後設定内容表示欄９３と、現在の設定内容を表示する現在設定内容表示欄９４と、復旧を実行する復旧実行入力画像９６（図１１の「ＯＫ」アイコン参照）と、復旧する設定内容の確認を取り消す復旧確認取り消し画像９７（図１１の「キャンセル」アイコン参照）とを有する。
【００４８】
Ｃ６Ｄ４：復旧指示入力判別手段
復旧指示入力判別手段Ｃ６Ｄ４は、動作設定記憶手段Ｃ４の動作設定の設定内容を変更前の前記設定内容（実施例１では、設定変更履歴一覧画像７１で選択された変更履歴情報の設定内容）に復旧させる入力がされたか否かを判別する。実施例１の復旧指示入力判別手段Ｃ６Ｄ４は、前記復旧実行入力画像９６の入力がされたか否かを判別することにより、復旧させる入力がされたか否かを判別する。
Ｃ６Ｅ：設定反映手段
設定反映手段Ｃ６Ｅは、変更前の前記設定内容に復旧させる入力がされた場合に、変更履歴記憶手段Ｃ６Ｃに記憶された前記設定内容を、動作設定記憶手段Ｃ４の動作設定の設定内容に反映させる（更新する）。また、実施例１の設定反映手段Ｃ６Ｅは、復旧実行入力画像９６の入力がされた場合に、変更履歴記憶手段Ｃ６Ｃに記憶された前記設定内容の中から選択された設定内容を、動作設定記憶手段Ｃ４の動作設定の設定内容に反映させる（コピーする）。さらに、実施例１の設定反映手段Ｃ６Ｅは、復旧させる場合だけでなく、設定変更手段Ｃ６Ｂにより設定内容の変更を行う場合に、変更を実行する際に、動作設定記憶手段Ｃ４に記憶された変更前の（すなわち、現在の）前記設定内容を変更履歴記憶手段Ｃ６Ｃに反映させて、変更履歴情報として保存した後に、設定内容一時記憶手段Ｃ６Ｂ３に記憶された変更後の設定内容を動作設定記憶手段Ｃ４に反映させることにより設定内容の変更を行う。
【００４９】
（実施例１のフローチャートの説明）
次に、実施例１の複合機Ｐｒ１の処理の流れをフローチャートを使用して説明するが、ユーザの入力に応じて複合機Ｐｒ１に対してプリントアウト用の画像情報を送信するクライアントパソコンＰＣ等の処理は、従来公知であり、簡単であるため、図示及び詳細な説明を省略する。
【００５０】
（機能選択処理のフローチャートの説明）
図１２は実施例１の画像形成装置の機能選択処理のフローチャートである。
図１２のフローチャートの各ＳＴ（ステップ）の処理は、複合機Ｐｒ１のＲＯＭやハードディスク等に記憶されたプログラムに従って行われる。また、この処理は複合機Ｐｒ１の他の各種処理と並行してマルチタスクで実行される。
図１２に示すフローチャートは複合機Ｐｒ１の電源オンにより開始される。
【００５１】
図１２のＳＴ１において、機能選択画像１１（図３参照）を表示部ＵＩ１に表示する。そして、ＳＴ２に進む。
ＳＴ２において、「コピー」アイコン１２ａを選択する入力がされたか否かを判別する。イエス（Ｙ）の場合はＳＴ３に進み、ノー（Ｎ）の場合はＳＴ４に進む。
ＳＴ３において、コピー枚数等を設定してジョブとしてのコピー動作を実行する従来公知のコピー機能選択時の処理を行い、ＳＴ１に戻る。
ＳＴ４において、「ＦＡＸ」アイコン１２ｂを選択する入力がされたか否かを判別する。イエス（Ｙ）の場合はＳＴ５に進み、ノー（Ｎ）の場合はＳＴ６に進む。
ＳＴ５において、宛先を入力し、原稿画像を読取って送信する従来公知のＦＡＸ動作（ジョブ）を実行するＦＡＸ機能選択時の処理を行い、ＳＴ１に戻る。
【００５２】
ＳＴ６において、「スキャナ」アイコン１２ｃを選択する入力がされたか否かを判別する。イエス（Ｙ）の場合はＳＴ７に進み、ノー（Ｎ）の場合はＳＴ８に進む。
ＳＴ７において、原稿画像を読取るスキャナ動作（ジョブ）を実行する従来公知のスキャナ機能選択時の処理を行い、ＳＴ１に戻る。
ＳＴ８において、仕様変更アイコン１３を選択する入力がされたか否かを判別する。イエス（Ｙ）の場合はＳＴ９に進み、ノー（Ｎ）の場合はＳＴ２に戻る。
ＳＴ９において、複合機Ｐｒ１の動作設定（仕様）の設定内容を登録、変更するための仕様変更選択時の処理（後述する図１３のサブルーチン参照）を実行して、ＳＴ１に戻る。
【００５３】
（仕様変更選択時の処理）
図１３は実施例１の仕様変更選択時の処理のフローチャートであり、図１２のＳＴ９のサブルーチンである。
図１３のＳＴ１１において、設定内容の変更を行おうとしているユーザの認証を行うユーザ認証処理（後述する図１４のサブルーチン参照）を実行し、ＳＴ１２に進む。
ＳＴ１２において、動作設定記憶手段Ｃ４に記憶された現在の設定内容を設定内容一時記憶手段Ｃ６Ｂ３に反映させる（コピーする）。そして、ＳＴ１３に進む。
ＳＴ１３において、動作設定記憶手段Ｃ４および設定内容一時記憶手段Ｃ６Ｂ３に記憶された設定内容に応じた設定内容一覧画像５１（図７参照、設定内容変更画像）を表示部ＵＩ１に表示する。そして、ＳＴ１４に進む。
ＳＴ１４において、設定内容一覧画像５１で設定項目を選択する入力がされたか否かを判別する。イエス（Ｙ）の場合はＳＴ１５に進み、ノー（Ｎ）の場合はＳＴ１６に進む。
【００５４】
ＳＴ１５において、選択された設定項目の設定項目詳細表示画像６１（図８参照）を表示部ＵＩ１に表示する。そして、ＳＴ１６に進む。
ＳＴ１６において、設定内容を変更する入力がされたか否かを判別する。すなわち、変更入力画像６２の入力がされたか否かを判別する、イエス（Ｙ）の場合はＳＴ１７に進み、ノー（Ｎ）の場合はＳＴ１８に進む。
ＳＴ１７において、入力に応じて設定項目詳細表示画像６１を更新する。そして、ＳＴ１６に戻る。
ＳＴ１８において、設定項目詳細表示画像６１の選択決定画像６３（図８の「決定」アイコン参照）を選択する入力がされたか否かを判別する。イエス（Ｙ）の場合はＳＴ１９に進み、ノー（Ｎ）の場合はＳＴ２０に進む。
ＳＴ１９において、設定項目詳細表示画像６１の変更入力画像６２で入力された内容を設定内容一時記憶手段Ｃ６Ｂ３に反映する。そして、ＳＴ１３に戻る。
ＳＴ２０において、設定項目詳細表示画像６１の選択取り消し画像６４（図８の「取り消し」アイコン参照）の入力がされたか否かを判別する。ノー（Ｎ）の場合はＳＴ１６に戻り、イエス（Ｙ）の場合はＳＴ１３に戻る。
【００５５】
ＳＴ２１において、設定内容一覧画像５１の設定復旧移行画像５６（図７の「設定の復旧」アイコン参照）を選択する入力がされたか否かを判別する。イエス（Ｙ）の場合はＳＴ２２に進み、ノー（Ｎ）の場合はＳＴ２３に進む。
ＳＴ２２において、設定内容を復旧する設定内容復旧処理（後述する図１５のサブルーチン参照）を実行し、図１３の仕様変更選択時の処理を終了して、図１２の機能選択処理に戻る。
ＳＴ２３において、設定内容一覧画像５１の設定変更取り消し画像５８（図７の「取り消し」アイコン参照）を選択する入力がされたか否を判別する。イエス（Ｙ）の場合はＳＴ２４に進み、ノー（Ｎ）の場合はＳＴ２５に進む。
ＳＴ２４において、設定内容一時記憶手段Ｃ６Ｂ３に記憶されたデータ（設定内容）を破棄する。そして、図１３の仕様変更選択時の処理を終了して、図１２の機能選択処理に戻る。
【００５６】
ＳＴ２５において、設定内容一覧画像５１の変更実行入力画像５７（図７の「決定」アイコン参照）を選択する入力がされたか否かを判別する。イエス（Ｙ）の場合はＳＴ２６に進み、ノー（Ｎ）の場合はＳＴ１４に戻る。
ＳＴ２６において、動作設定記憶手段Ｃ４に記憶されている現在の設定内容、ユーザ名、現在時刻を含む変更履歴情報を変更履歴記憶手段Ｃ６Ｃに記憶する。そして、ＳＴ２７に進む。
ＳＴ２７において、設定内容一時記憶手段Ｃ６Ｂ３に記憶された変更後の設定内容を、動作設定記憶手段Ｃ４に反映（コピー）して、設定内容を更新する。そして、図１３の仕様変更選択時の処理を終了して、図１２の機能選択処理に戻る。
【００５７】
（ユーザ認証処理（ＳＴ１１のサブルーチン）の説明）
図１４は実施例１のユーザ認証処理のフローチャートであり、図１３のＳＴ１１のサブルーチンである。
図１４のＳＴ３１において、認証画像２１を表示部ＵＩ１に表示し、ＳＴ３２に進む。
ＳＴ３２において、認証画像２１の認証実行画像２６（図４の「ログイン」アイコン参照）を選択する入力がされたか否かを判別する。ノー（Ｎ）の場合はＳＴ３３に進み、イエス（Ｙ）の場合はＳＴ３６に進む。
ＳＴ３３において、認証画像２１のキーボード入力開始画像２４（図４の「キーボード」のアイコン参照）を選択する入力がされたか否を判別する。イエス（Ｙ）の場合はＳＴ３４に進み、ノー（Ｎ）の場合はＳＴ３５に進む。
ＳＴ３４において、キーボード画像４１を表示部ＵＩ１に表示し、キーボード入力部４３によりユーザＩＤまたはパスワードの入力を行い、入力決定画像４４（図６の「決定」アイコン参照）の入力に応じて、認証画像２１のユーザＩＤ入力欄２２またはパスワード入力欄２３に入力内容を反映させるキーボード用入力処理（図示省略）を実行して、ＳＴ３１に戻る。
ＳＴ３５において、認証画像２１の認証取り消し画像２７（図４の「取り消し」アイコン参照）を選択する入力がされたか否を判別する。ノー（Ｎ）の場合はＳＴ３２に戻り、イエス（Ｙ）の場合はＳＴ図１４のユーザ認証処理を終了して図１２の機能選択処理のＳＴ１に戻る。
【００５８】
ＳＴ３６において、認証画像２１のユーザＩＤ入力欄２２に入力された情報に基づいて、入力されたユーザＩＤは認証情報記憶手段Ｃ６Ａ４に登録（記憶）されているか否かを判別する。イエス（Ｙ）の場合はＳＴ３７に進み、ノー（Ｎ）の場合はＳＴ３８に進む。
ＳＴ３７において、認証画像２１のパスワード入力欄２３に入力された情報に基づいて、入力されたパスワードが、認証情報記憶手段Ｃ６Ａ４に登録（記憶）されているユーザＩＤのパスワード（認証情報）に一致するか否かを判別する。ノー（Ｎ）の場合はＳＴ３８に進み、イエス（Ｙ）の場合は図１４のユーザ認証処理を終了して、図１３の仕様変更選択時の処理に戻る。
ＳＴ３８において、認証不可告知画像３１（図５参照）を表示部ＵＩ１に表示する。そして、ＳＴ３９に進む。
ＳＴ３９において、認証不可告知画像３１の確認画像３２（図５の「ＯＫ」アイコン参照）を選択する入力がされたか否かを判別する。イエス（Ｙ）の場合はＳＴ３１に戻り、ノー（Ｎ）の場合はＳＴ３９を繰り返す。
【００５９】
（設定内容復旧処理（ＳＴ２２のサブルーチン）の説明）
図１５は実施例１の設定内容復旧処理のフローチャートであり、図１３のＳＴ２２のサブルーチンである。
図１５のＳＴ４１において、変更履歴記憶手段Ｃ６Ｃに記憶された変更履歴情報に応じた設定変更履歴一覧画像７１（図９参照）を表示部ＵＩ１に表示する。そして、ＳＴ４２に進む。
ＳＴ４２において、変更履歴のいずれかを選択する入力、すなわち、ラジオボタン画像７３の入力がされたか否かを判別する。イエス（Ｙ）の場合はＳＴ４３に進み、ノー（Ｎ）の場合はＳＴ４４に進む。
ＳＴ４３において、入力に応じて設定変更履歴一覧画像７１（ラジオボタン画像７３）を更新して、ＳＴ４２に戻る。
【００６０】
ＳＴ４４において、設定変更履歴一覧画像７１の詳細表示開始画像７４（図９の「詳細」アイコン参照）を選択する入力がされたか否かを判別する。イエス（Ｙ）の場合はＳＴ４５に進み、ノー（Ｎ）の場合はＳＴ４９に進む。
ＳＴ４５において、変更履歴詳細内容画像８１（図１０参照）を表示器ＵＩ１に表示する。そして、ＳＴ４６に進む。
ＳＴ４６において、変更履歴詳細内容画像８１の確認終了画像８７（図１０の「閉じる」アイコン参照）を選択する入力がされたか否を判別する。ノー（Ｎ）の場合はＳＴ４７に進み、イエス（Ｙ）の場合はＳＴ４１に戻る。
ＳＴ４７において、その他の入力（現在設定内容表示欄８４および履歴設定内容表示欄８６の表示をスクロールさせる入力等）がされたか否かを判別する。イエス（Ｙ）の場合はＳＴ４８に進み、ノー（Ｎ）の場合はＳＴ４６に戻る。
ＳＴ４８において、入力に応じて変更履歴詳細内容画像８１を更新する。そして、ＳＴ４６に戻る。
【００６１】
ＳＴ４９において、設定変更履歴一覧画像７１の復旧取り消し画像７６（図９の「キャンセル」アイコン参照）を選択する入力がされたか否を判別する。ノー（Ｎ）の場合はＳＴ５０に進み、イエス（Ｙ）の場合は図１３の仕様変更選択時の処理のＳＴ１３に戻る。
ＳＴ５０において、設定変更履歴一覧画像７１の確認開始画像７５（図９の「ＯＫ」アイコン参照）を選択する入力がされたか否を判別する。イエス（Ｙ）の場合はＳＴ５１に進み、ノー（Ｎ）の場合はＳＴ４２に戻る。
ＳＴ５１において、選択された変更履歴情報に応じた復旧内容表示画像９１（図１１参照）を表示部ＵＩ１に表示する。そして、ＳＴ５２に進む。
ＳＴ５２において、復旧内容表示画像９１の復旧確認取り消し画像９７（図１１の「キャンセル」アイコン参照）を選択する入力がされたか否を判別する。ノー（Ｎ）の場合はＳＴ５３に進み、イエス（Ｙ）の場合はＳＴ４１に戻る。
【００６２】
ＳＴ５３において、復旧内容表示画像９１の復旧実行入力画像９６（図１１の「ＯＫ」アイコン参照）を選択する入力がされたか否を判別する。ノー（Ｎ）の場合はＳＴ５４に進み、イエス（Ｙ）の場合はＳＴ５６に進む。
ＳＴ５４において、その他の入力（復旧内容表示画像９１の復旧後設定内容表示欄９３および現在設定内容表示欄９４をスクロールさせる入力等）がされたか否かを判別する。イエス（Ｙ）の場合はＳＴ５５に進み、ノー（Ｎ）の場合はＳＴ５２に進む。
ＳＴ５５において、入力に応じて復旧内容表示画像９１を更新し、ＳＴ５２に戻る。
ＳＴ５６において、選択された変更履歴情報の設定内容を変更履歴記憶手段Ｃ６Ｃから動作設定記憶手段Ｃ４に反映（コピー）する。そして、図１５の設定内容復旧処理を終了して、図１２の機能選択処理のＳＴ１に戻る。
【００６３】
（実施例１の作用）
前記構成を備えた実施例１の画像形成装置（電子機器）としての複合機Ｐｒ１では、動作設定の設定内容を変更する場合には、変更前の設定内容の全てが変更履歴情報として変更履歴記憶手段Ｃ６Ｃに保存（記憶）される。したがって、設定内容復旧処理（図１５のフローチャートおよび図９〜図１１参照）により、動作設定の設定内容を変更前の設定内容に容易に復旧させることができる。この結果、悪意のある第３者によって設定内容が変更（改竄）されたり、設定内容変更後に複合機Ｐｒ１が正常に動作しなくなったりした場合でも、正常に動作していた時期の設定内容まで容易に復旧させることができ、複合機Ｐｒ１を意図したとおりに正常に動作させることができる。
また、実施例１の画像形成装置では、設定内容の変更を行う場合や設定内容の復旧を行う場合には、ユーザ認証（図１３のＳＴ１１および図１４のフローチャート参照）が行われて、通常動作モード（図１２のＳＴ１〜ＳＴ８の状態）から設定内容変更モード（図１３のＳＴ１２以降の状態）に移行する。そして、認証が行われた設定内容変更モードでしか設定内容の変更や復旧ができないので、変更する権限のないユーザや第３者によって、むやみに設定が変更されることを防止できる。この結果、悪意のある第３者が設定内容を変更することによる業務妨害や情報漏洩等を防止することができる。
【００６４】
また、実施例１の設定内容一覧画像５１、変更履歴詳細内容画像８１および復旧内容表示画像９１では、設定内容の変更の前後や復旧の前後を確認しながら選択することができるので、変更ミスや復旧ミスを減らすことができる。
さらに、実施例１の変更履歴記憶手段Ｃ６Ｃは、過去５回分の変更履歴情報を記憶しているので、１つのみの場合に比べて、正常に動作していた時期の設定内容に復旧できる可能性を高めることができる。
【実施例２】
【００６５】
次に本発明の実施例２の説明を行うが、この実施例２の説明において、前記実施例１の構成要素に対応する構成要素には同一の符号を付して、その詳細な説明を省略する。この実施例２は、下記の点で前記実施例１と相違しているが、他の点では前記実施例１と同様に構成されている。
【００６６】
（実施例２の制御部の説明）
（画像形成装置の制御部の説明）
（実施例２のコントローラＣの機能）
図１６は、実施例２の画像形成装置としての複合機の制御部分が備えている各機能をブロック図（機能ブロック図）で示した図であり、実施例１の図２に対応する図である。
図１６において、実施例２の動作設定変更復旧プログラムＰは、実施例１の各機能（手段）に加え、変更内容通知手段Ｃ６Ｆと復旧指示情報受信手段Ｃ６Ｇとを有する。
【００６７】
Ｃ６Ｆ：変更内容通知手段
変更内容通知手段Ｃ６Ｆは、変更された設定内容の通知先（実施例２では管理者のメールアドレス）を記憶する通知先記憶手段Ｃ６Ｆ１を有し、設定内容の変更を実行する入力がされた場合に、変更された設定内容を管理者に通知する。実施例２の変更内容通知手段Ｃ６Ｆは、複合機の識別情報と、変更履歴情報として保存する情報である変更前の設定内容、ユーザ名、現在時刻と、変更後の設定内容とが本文に記載された電子メールを、ネットワークＮを介して、予め設定された管理者のメールアドレスに送信することにより、変更された設定内容を管理者に通知する。
【００６８】
Ｃ６Ｇ：復旧指示情報受信手段
復旧指示情報受信手段Ｃ６Ｇは、管理者認証手段Ｃ６Ｇ１と、認証不可通知手段Ｃ６Ｇ２とを有し、管理者から送信され、動作設定記憶手段Ｃ４の動作設定の設定内容を変更前の前記設定内容に復旧させる指示を通知する復旧指示情報を受信する。実施例２の復旧指示情報受信手段Ｃ６Ｇは、前記復旧指示情報として電子メールを受信する。
Ｃ６Ｇ１：管理者認証手段
管理者認証手段Ｃ６Ｇ１は、受信した復旧指示情報に含まれる管理者の認証情報と、認証情報記憶手段Ｃ６Ａ４に記憶された管理者の認証情報とが一致するか否かを判別することにより認証を行う。
【００６９】
Ｃ６Ｇ２：認証不可通知手段
認証不可通知手段Ｃ６Ｇ２は、管理者認証手段Ｃ６Ｇ１により管理者として認証がされなかった場合に、認証されなかったことを通知する所定の認証不可情報（実施例２では電子メール）を管理者サーバＳｂに対して送信する。
したがって、実施例２の複合機Ｐｒ１は、電子メール送受信機能を備えている。また、実施例２の設定復旧手段Ｃ６Ｄは、前記各画像７１，８１，９１で入力された場合に加え、復旧指示情報を受信した場合にも復旧を行う。
【００７０】
（管理者サーバＳｂの制御部の説明）
図１７は実施例２の管理者サーバの制御部分が備えている各機能をブロック図（機能ブロック図）で示した図である。
図１７において、管理者サーバＳｂのコンピュータ本体Ｈ１は、外部との信号の入出力および入出力信号レベルの調節等を行うＩ／Ｏ（入出力インターフェース）、必要な処理を行うためのプログラムおよびデータ等が記憶されたＲＯＭ（リードオンリーメモリ）、必要なデータを一時的に記憶するためのＲＡＭ（ランダムアクセスメモリ）、ハードディスクやＲＯＭ等に記憶されたプログラムに応じた処理を行うＣＰＵ（中央演算処理装置）、ならびにクロック発振器等を有している。
前記構成の管理者サーバＳｂは、前記ハードディスクやＲＯＭ等に記憶されたプログラムを実行することにより種々の機能を実現することができる。
【００７１】
図１７において、実施例２の管理者サーバＳｂのハードディスクドライブには、クライアントパソコンの基本動作を制御する基本ソフト（オペレーティングシステム）ＯＳや、文書作成ソフトウェアや作図ソフトウェア等のアプリケーションプログラムＡＰ、アプリケーションプログラムＡＰ等からの印刷指示に応じて画像形成装置Ｐｒ１〜Ｐｒ５に画像情報の送信を行う従来公知のプリンタドライバＰＤに加え、変更内容受信手段Ｃ１１、設定内容復旧指示プログラムＰ２を有する。
以下、従来公知のオペレーティングシステムＯＳやアプリケーションプログラムＡＰ、プリンタドライバＰＤを除く各機能（制御手段）を説明する。
【００７２】
Ｃ１１：変更内容受信手段（変更内容通知情報記憶手段）
変更内容受信手段Ｃ１１は、前記複合機Ｐｒ１〜Ｐｒ５から送信された設定内容を含む変更内容情報を受信し、記憶する。実施例１の変更内容受信手段Ｃ１１は、前記変更内容情報としての変更前の設定内容が記載された電子メールを受信し、蓄積する。
Ｐ２：設定内容復旧指示プログラム
設定内容復旧指示プログラムＰ２は、設定復旧手段Ｃ１２、復旧指示情報作成手段Ｃ１３、復旧指示情報送信手段Ｃ１４を有し、複合機Ｐｒ１の設定内容を復旧させるための指示を行う。
Ｃ１２：設定復旧手段
設定復旧手段Ｃ１２は、複合機Ｐｒ１の設定内容を復旧するための機能手段であり、設定復旧手段Ｃ６Ｄと同様に構成された設定変更履歴一覧画像表示手段Ｃ１２Ａと、変更履歴詳細内容画像表示手段Ｃ１２Ｂと、復旧内容表示画像表示手段Ｃ１２Ｃと、復旧指示入力判別手段Ｃ１２Ｄとを有する。実施例２の設定復旧手段Ｃ１２では、設定変更履歴一覧画像表示手段Ｃ１２Ａ、変更履歴詳細内容画像表示手段Ｃ１２Ｂおよび復旧内容表示画像表示手段Ｃ１２Ｃは、蓄積された複数回分の変更内容情報を読取り、実施例１と同様の各画像７１，８１，９１を作成し、ディスプレイ（情報表示画面）Ｈ２に表示する。
【００７３】
Ｃ１３：復旧指示情報作成手段
復旧指示情報作成手段Ｃ１３は、複合機Ｐｒ１の管理者の認証情報を記憶する認証情報記憶手段Ｃ１３Ａを有し、復旧実行入力画像９６の入力がされた場合に、選択された変更履歴情報に復旧する指示を行う復旧指示情報を作成する。実施例２の復旧指示情報作成手段Ｃ１３は、復旧指示情報として、復旧する変更履歴情報を指定する復旧指定情報と、管理者の認証情報とが記載された電子メールを作成する。
Ｃ１４：復旧指示情報送信手段
復旧指示情報送信手段Ｃ１４は、復旧指示情報作成手段Ｃ１３で作成された復旧指示情報を複合機Ｐｒ１に送信する。
【００７４】
（実施例２のフローチャートの説明）
次に、実施例２のフローチャートの説明を行うが、実施例１のフローチャートと同様の処理には同一のステップ（ＳＴ）番号を付し、詳細な説明は省略する。
【００７５】
（画像形成装置のフローチャートの説明）
（機能選択処理のフローチャートの説明）
図１８は実施例２の機能選択処理のフローチャートであり、実施例１の図１２に対応するフローチャートである。
図１８において、実施例２の機能選択処理では、実施例１の機能選択処理のＳＴ１〜ＳＴ９と同様の処理を実行し、ＳＴ８でノー（Ｎ）の場合はＳＴ６１に進む。
ＳＴ６１において、管理者サーバＳｂから送信された復旧指示情報を受信したか否かを判別する。イエス（Ｙ）の場合はＳＴ６２に進み、ノー（Ｎ）の場合はＳＴ２に戻る。
ＳＴ６２において、復旧指示情報に含まれる管理者の認証情報から、管理者として認証された（ユーザＩＤおよびパスワードが一致した）か否かを判別する。イエス（Ｙ）の場合はＳＴ６３に進み、ノー（Ｎ）の場合はＳＴ６４に進む。
ＳＴ６３において、受信した復旧指示情報で指定された変更履歴記憶手段Ｃ６Ｃの変更履歴情報を動作設定記憶手段Ｃ４に反映して（コピーして）、設定内容を復旧する。そして、ＳＴ２に戻る。
ＳＴ６４において、認証不可情報を管理者サーバＳｂに送信する。そして、ＳＴ２に戻る。
【００７６】
（仕様変更選択時の処理）
図１９は実施例２の仕様変更選択時の処理のフローチャートであり、実施例１の図１３に対応するフローチャートである。
図１９の仕様変更選択時の処理では、実施例１の仕様変更選択時の処理のＳＴ２６に換えて、ＳＴ２６′において、下記の処理（１）、（２）を実行し、ＳＴ２７に進む。
（１）動作設定記憶手段Ｃ４に記憶されている現在の設定内容、ユーザ名、現在時刻を含む変更履歴情報を変更履歴記憶手段Ｃ６Ｃに記憶する。
（２）変更履歴記憶手段Ｃ６Ｃに新たに記憶された変更前の設定内容と、設定内容一時記憶手段Ｃ６Ｂ３に一時記憶されている変更後の設定内容とが記載された変更内容通知情報を管理者に送信する。
【００７７】
（管理者サーバのフローチャートの説明）
（設定内容復旧指示処理）
図２０は実施例２の管理者サーバの設定内容復旧指示処理であり、実施例１の図１５に対応するフローチャートである。
図２０のフローチャートの各ＳＴ（ステップ）の処理は、コンピュータ本体Ｈ１のハードディスク等に記憶されたプログラムに従って行われる。また、この処理は管理者サーバＳｂの他の各種処理（ＯＳやアプリケーションプログラムＡＰ等）と並行してマルチタスクで実行される。
図２０に示すフローチャートは管理者サーバＳｂにおいて、設定内容指示プログラムＰ２を起動する操作が行われたときに開始される。
【００７８】
図２０のＳＴ４０において、次の処理（１）、（２）を実行して、ＳＴ４１′に進む。
（１）蓄積された変更内容通知情報（電子メール）の中から受信順が新しい順に５つの変更内容通知情報を取得する（読み出す）。
（２）取得した変更内容通知情報に基づいて、変更履歴情報を作成する。
ＳＴ４１′において、作成された変更履歴情報に応じた設定変更履歴一覧画像７１（図９参照）をディスプレイＨ２（情報表示画面）に表示する。そして、ＳＴ４２に進む。
次に、実施例１の図１５の設定内容復旧処理と同様のＳＴ４２〜ＳＴ５５の処理を実行する。このとき、実施例２の設定内容復旧指示処理では、各画像７１，８１，９１がディスプレイ（情報表示画面）Ｈ２に表示される。そして、実施例２の設定内容復旧指示処理では、図１５の設定内容復旧処理のＳＴ５６に換えて、ＳＴ５６′を実行する。
ＳＴ５６′において、設定変更履歴一覧画像７１で選択され、復旧内容表示画像９１で確認された変更履歴情報の設定内容に、複合機Ｐｒ１の設定内容を復旧する指示を行う復旧指示情報（電子メール）を、複合機Ｐｒ１に対して送信する。そして、図２０の設定内容復旧指示処理を終了する。
【００７９】
（実施例２の作用）
前記構成を備えた実施例２のプリントシステムＳでは、複合機Ｐｒ１で設定内容の変更が行われると、変更の前後の設定内容が管理者に通知される。したがって、管理者は通知された変更内容通知情報を参照することで、誰がどのように設定内容を変更したのかを管理することができ、悪意のあるユーザにより変更された場合には、管理者が特定することができる。
また、管理者が管理者サーバＳｂから復旧指示情報を送信するだけで設定内容を復旧することができるので、管理が容易であると共に、複合機Ｐｒ１の設置場所まで管理が出向かなくても復旧できるので利便性を向上できる。
【００８０】
さらに、復旧指示情報を受信した複合機Ｐｒ１では、管理者であるか否かの認証が行われるため、悪意のある第三者がネットワーク経由で設定内容を変更しようとしても、認証されないので、セキュリティを高めることができる。
その他、実施例２の複合機Ｐｒ１は、実施例１と同様の構成も備えているので、ユーザインタフェースＵＩから設定の変更ができ、復旧も容易にできる。
【００８１】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更例（Ｈ01）〜（Ｈ07）を下記に例示する。
（Ｈ01）前記実施例において、ネットワークＮ上に接続された機器の構成は、上記実施例に限定されず、ネットワークスキャナやデータベースサーバ、ワークステーション等を接続することも可能であり、各サブネットワーク３，４に接続された画像形成装置が１台であっても問題はない。また、サブネットワークは１つとしたり、３つ以上とすることも可能である。さらに、ネットワークに接続された複合機Ｐｒ１に限定されず、プリンタサーバを介してネットワークに接続された画像形成装置、あるいは、ネットワークに接続されていない単独の画像形成装置に適用可能である。
【００８２】
（Ｈ02）前記実施例において、復旧指示情報や変更内容通知情報として電子メールを使用したが、これに限定されず、特定の方式の信号を採用することも可能である。また、電子メールに記載される情報は、前記実施例に記載した情報に限定されず、必要に応じて追加、削除することが可能である。
（Ｈ03）前記実施例において、各画像１１〜９１は設計等に応じて変更可能である。
（Ｈ04）前記実施例において、前記実施例において、コピー、プリンタ、スキャナ、ＦＡＸの全ての機能を備えた複合機を例示したが、これに限定されず、各機能のいずれか１つまたは複数を備えた画像形成装置にも適用可能である。また、画像形成装置に限定されず、動作設定が可能なパーソナルコンピュータやサーバ等の情報処理装置、金属加工装置等任意の電子機器に使用可能である。
【００８３】
（Ｈ05）前記実施例において、変更履歴記憶手段Ｃ６Ｃは５回分の変更履歴情報を記憶したが、これに限定されず、１回〜４回、６回以上とすることも可能である。
（Ｈ06）前記実施例において、認証方法はユーザＩＤとパスワードを使用したが、これに限定されず、パスワードのみとしたり、認証情報が記憶された磁気カードやＩＣカードを読取る（接触型または非接触型）認証を採用したり、指紋パターンや静脈パターン、網膜パターン等により認証を行う生体認証を採用する等、任意の認証方法を採用可能である。
（Ｈ07）前記実施例２において、設定内容の復旧の指示は管理者のみが実行できるように構成することが望ましいが、管理者以外の一般ユーザが実行可能とすることも可能である。
【図面の簡単な説明】
【００８４】
【図１】図１は本発明の実施例１のプリントシステムの全体説明図である。
【図２】図２は、実施例１の画像形成装置としての複合機の制御部分が備えている各機能をブロック図（機能ブロック図）で示した図である。
【図３】図３は実施例１の機能選択画像の説明図である。
【図４】図４は実施例１の認証画像の説明図である。
【図５】図５は実施例１の認証不可告知画像の説明図である。
【図６】図６は実施例１のキーボード画像の説明図であり、図３のユーザＩＤを入力する場合のキーボード画像の説明図である。
【図７】図７は実施例１の設定内容変更画像の説明図である。
【図８】図８は実施例１の設定項目詳細表示画像の一例の説明図であり、コピーデフォルトトレイの設定項目詳細表示画像の説明図である。
【図９】図９は実施例１の設定変更履歴一覧画像の説明図である。
【図１０】図１０は実施例１の変更履歴詳細内容画像の説明図である。
【図１１】図１１は実施例１の復旧内容表示画像の説明図である。
【図１２】図１２は実施例１の画像形成装置の機能選択処理のフローチャートである。
【図１３】図１３は実施例１の仕様変更選択時の処理のフローチャートであり、図１２のＳＴ９のサブルーチンである。
【図１４】図１４は実施例１のユーザ認証処理のフローチャートであり、図１３のＳＴ１１のサブルーチンである。
【図１５】図１５は実施例１の設定内容復旧処理のフローチャートであり、図１３のＳＴ２２のサブルーチンである。
【図１６】図１６は、実施例２の画像形成装置としての複合機の制御部分が備えている各機能をブロック図（機能ブロック図）で示した図であり、実施例１の図２に対応する図である。
【図１７】図１７は実施例２の管理者サーバの制御部分が備えている各機能をブロック図（機能ブロック図）で示した図である。
【図１８】図１８は実施例２の機能選択処理のフローチャートであり、実施例１の図１２に対応するフローチャートである。
【図１９】図１９は実施例２の仕様変更選択時の処理のフローチャートであり、実施例１の図１３に対応するフローチャートである。
【図２０】図２０は実施例２の管理者サーバの設定内容復旧指示処理であり、実施例１の図１５に対応するフローチャートである。
【符号の説明】
【００８５】
５１…設定内容変更画像、
９１…復旧内容表示画像、
Ｃ４…動作設定記憶手段、
Ｃ６Ａ…認証手段、
Ｃ６Ａ４…認証情報記憶手段、
Ｃ６Ｂ１…設定内容変更画像表示手段、
Ｃ６Ｂ３…設定内容一時記憶手段、
Ｃ６Ｂ４…設定内容変更手段、
Ｃ６Ｂ５…変更実行入力判別手段、
Ｃ６Ｃ…変更履歴記憶手段、
Ｃ６Ｄ３…復旧内容表示画像表示手段、
Ｃ６Ｄ４…復旧指示入力判別手段、
Ｃ６Ｅ…設定反映手段、
Ｃ６Ｆ…変更内容通知手段、
Ｃ６Ｇ…復旧指示情報受信手段、
Ｐ…動作設定変更復旧プログラム、
Ｐｒ１…コンピュータ，画像形成装置，電子機器、
ＵＩ１…情報表示画面。
【図１】
2007174334.tif 000003
【図２】
2007174334.tif 000004
【図３】
2007174334.tif 000005
【図４】
2007174334.tif 000006
【図５】
2007174334.tif 000007
【図６】
2007174334.tif 000008
【図７】
2007174334.tif 000009
【図８】
2007174334.tif 000010
【図９】
2007174334.tif 000011
【図１０】
2007174334.tif 000012
【図１１】
2007174334.tif 000013
【図１２】
2007174334.tif 000014
【図１３】
2007174334.tif 000015
【図１４】
2007174334.tif 000016
【図１５】
2007174334.tif 000017
【図１６】
2007174334.tif 000018
【図１７】
2007174334.tif 000019
【図１８】
2007174334.tif 000020
【図１９】
2007174334.tif 000021
【図２０】
2007174334.tif 000022